(57)【要約】【課題】  取付け性を向上し、飛来する鳥類の大きさが異なる場合であっても、充分な営巣防止効果を得ることができる営巣防止具を提供する。【解決手段】  鉛直方向Ｚに延びる棒状の幹体５と、幹体５に着脱可能に装着される基部６から放射状に延びかつ基部６から離反するにつれて下方に傾斜する複数の枝状部７を有する枝体８と、一方のアーム３ａに設けられ、幹体５を支持する支持手段９とを含み、支持手段９は、碍子４ａ１，４ａ２の中心軸線ｍ１，ｍ２と、碍子４ｂ１，４ｂ２の中心軸線ｍ３，ｍ４とが、交点ｎ１〜ｎ４を頂点とする長方形Ｂを想定したとき、該長方形Ｂの図心Ｇを通る鉛直軸線ｍ０と、基部６の軸線ｍ５とが一致するように、枝体８を支持し、枝状部７は、その先端の水平面Ｆへの投影点が長方形Ｂの各辺の近傍で、かつ各碍子４ａ１，４ａ２；４ｂ１，４ｂ２の水平面Ｆへの投影領域よりも水平方向Ｘに関して内側Ｃに位置するように形成される。【選択図】      図１
2014117269.tif 000002
【特許請求の範囲】
【請求項１】
電柱に、該電柱を挟んで水平かつ平行に固定される２本のアームと、前記２本のアームのいずれか一方に、該一方のアームが延びる方向に間隔をあけて固定される複数の碍子と、前記２本のアームのいずれか他方に、該他方のアームが延びる方向に前記一方のアームに固定される碍子の間隔と同一の間隔をあけ、かつ該他方のアームが延びる方向に垂直な水平方向に並んで前記他方のアームに固定される複数の碍子とが配置される営巣防止領域を、上方から覆うように、前記２本のアームのいずれか一方に設けられる営巣防止具であって、
鉛直方向に延びる棒状の幹体と、
前記幹体に着脱可能に装着される基部と、前記基部から放射状に延びかつ前記基部から離反するにつれて下方に傾斜する複数の枝状部とを有する枝体と、
前記一方のアームに設けられ、前記幹体を支持する支持手段と、を含み、
前記一方のアームに固定される複数の碍子のうち、互いに隣接して配置される２つの碍子の鉛直方向に延びる各中心軸線と、前記他方のアームに固定される複数の碍子のうち、互いに隣接して配置される２つの碍子の鉛直方向に延びる各中心軸線とが、水平面に交差する４つの交点を頂点とする長方形を想定したとき、該長方形の図心を通る鉛直軸線と、前記基部の軸線とが一致するように、前記支持手段は、枝体を支持し、
前記枝状部は、その先端の前記水平面への投影点が前記長方形の各辺の近傍で、かつ前記２本のアームが延びる方向に隣接して配置される各碍子の前記水平面への投影領域よりも前記水平方向に関して内側に位置するように形成されていることを特徴とする営巣防止具。
【請求項２】
前記枝体は、鉛直方向に間隔をあけて複数設けられることを特徴とする請求項１に記載の営巣防止具。
【請求項３】
前記幹体に装着され、前記基部を下方から支持するスリーブをさらに含むことを特徴とする請求項１または２に記載の営巣防止具。
【発明の詳細な説明】
【技術分野】
【０００１】
本発明は、電柱上にカラスや鳩などの鳥類が巣作りすることを防止するための営巣防止具に関する。
【背景技術】
【０００２】
典型的な従来技術は、たとえば特許文献１に開示されている。この従来技術では、鉛直に支持される丸棒状の電気絶縁性の幹体と、円筒状の取付基部の外周に枝棒が固着された複数の電気絶縁性の枝体とを有する。枝棒は取付基部の外周に下向き傾斜状に垂れ下がるように形成される。
【０００３】
前記取付基部の上下両端には、凹部と凸部とから成る回り止めが形成され、複数の取付基部を、前記幹体に外嵌して、上下に隣り合う取付基部の凹部と凸部とが嵌合することによって、幹体に複数本の枝棒が平面視で放射状に拡がった状態で、スパイラル状に支持される。
【０００４】
このような構成によって、電柱上の状況に応じ、必要な空間に自由に枝棒を延設できるようにし、鳥類の飛来および営巣を防止している。
【先行技術文献】
【特許文献】
【０００５】
【特許文献１】特開２００５−１１０５７１号公報
【発明の概要】
【発明が解決しようとする課題】
【０００６】
電柱上の営巣可能な空間は、碍子の大きさや配置位置、開閉器および変圧器などの有無などによって大きく異なる場合があり、前記従来技術の営巣防止具では、幹体に外挿される個々の枝体の取付け角度および枝棒の長さを、前記腕金、開閉器および変圧器などに干渉しないように調整しなければならず、営巣防止具の取付け現場での加工および取付け位置の調整を要し、営巣防止具の取付け性が悪いという問題がある。
【０００７】
また、各枝体は幹体に対して平面的には放射状に配置されるが、立体的にはスパイラル状に配置されているため、上下に隣接する取付基部の各枝棒の先端部の間隔が大きく、飛来する鳥類の大きさが異なる場合に、たとえばカラスに対して営巣防止効果が達成できても、ムクドリなどの小形の鳥類に対して営巣防止効果を期待できない場合が生じ、前記空間に対する枝棒の配置密度を高くして、営巣を確実に防止することができないという問題ある。
【０００８】
本発明の目的は、取付け性を向上し、飛来する鳥類の大きさが異なる場合であっても、充分な営巣防止効果を得ることができる営巣防止具を提供することである。
【課題を解決するための手段】
【０００９】
本発明は、電柱に、該電柱を挟んで水平かつ平行に固定される２本のアームと、前記２本のアームのいずれか一方に、該一方のアームが延びる方向に間隔をあけて固定される複数の碍子と、前記２本のアームのいずれか他方に、該他方のアームが延びる方向に前記一方のアームに固定される碍子の間隔と同一の間隔をあけ、かつ該他方のアームが延びる方向に垂直な水平方向に並んで前記他方のアームに固定される複数の碍子とが配置される営巣防止領域を、上方から覆うように、前記２本のアームのいずれか一方に設けられる営巣防止具であって、
鉛直方向に延びる棒状の幹体と、
前記幹体に着脱可能に装着される基部と、前記基部から放射状に延びかつ前記基部から離反するにつれて下方に傾斜する複数の枝状部とを有する枝体と、
前記一方のアームに設けられ、前記幹体を支持する支持手段と、を含み、
前記一方のアームに固定される複数の碍子のうち、互いに隣接して配置される２つの碍子の鉛直方向に延びる各中心軸線と、前記他方のアームに固定される複数の碍子のうち、互いに隣接して配置される２つの碍子の鉛直方向に延びる各中心軸線とが、水平面に交差する４つの交点を頂点とする長方形を想定したとき、該長方形の図心を通る鉛直軸線と、前記基部の軸線とが一致するように、前記支持手段は、枝体を支持し、
前記枝状部は、その先端の前記水平面への投影点が前記長方形の各辺の近傍で、かつ前記２本のアームが延びる方向に隣接して配置される各碍子の前記水平面への投影領域よりも前記水平方向に関して内側に位置するように形成されていることを特徴とする営巣防止具。
【００１０】
また本発明は、前記枝体は、鉛直方向に間隔をあけて複数設けられることを特徴とする。
【００１１】
また本発明は、前記幹体に装着され、前記基部を下方から支持するスリーブをさらに含むことを特徴とする。
【発明の効果】
【００１２】
本発明によれば、電柱には、該電柱を挟んで２本のアームが水平かつ平行に固定される。２本のアームのいずれか一方には、該一方のアームが延びる方向に間隔をあけて複数の碍子が固定される。また２本のアームのいずれか他方には、該他方のアームが延びる方向に、前記一方のアームに固定される碍子の間隔と同一の間隔をあけ、かつ該他方のアームが延びる方向に垂直な水平方向に並んで、複数の碍子が固定される。このように碍子が配置される営巣防止領域は、前記２本のアームのいずれか一方に設けられる営巣防止具によって上方から覆われる。
【００１３】
前記営巣防止具は、鉛直方向に延びる棒状の幹体と、前記幹体に着脱可能に装着される基部と、前記基部から放射状に延びかつ前記基部から離反するにつれて下方に傾斜する複数の枝状部とを有する枝体と、前記一方のアームに設けられ、前記幹体を支持する支持手段とを含む。
【００１４】
前記支持手段は、前記一方のアームに固定される複数の碍子のうち、互いに隣接して配置される２つの碍子の鉛直方向に延びる各中心軸線と、前記他方のアームに固定される複数の碍子のうち、互いに隣接して配置される２つの碍子の鉛直方向に延びる各中心軸線とが、水平面に交差する４つの交点を頂点とする長方形を想定したとき、該長方形の図心を通る鉛直軸線と、前記基部の軸線とが一致するように、枝体を支持する。
【００１５】
前記枝状部は、その先端の前記水平面への投影点が前記長方形の各辺の近傍で、かつ前記２本のアームが延びる方向に隣接して配置される各碍子の前記水平面への投影領域よりも前記水平方向に関して内側に位置するように形成される。
【００１６】
このように営巣防止具が構成されるので、各枝状部の先端が碍子に接触することなく、前記従来技術のようにスパイラル状ではなく、複数の枝状部が４つの碍子よりも内側の領域を覆うように放射状に配置され、鳥類の大きさに拘らず営巣を確実に防止することができる。また枝状部は、その先端が投影領域の内側に位置するように形成されるので、電気絶縁性を確保するために枝状部を碍子や電線に接触しない長さに切断する必要がなく、現場での営巣防止具の取付け作業性を向上することができる。
また本発明によれば、前記枝体が鉛直方向に間隔をあけて複数設けられるので、枝体の配置密度を高くして、飛来する鳥類による営巣を、より確実に防止することができる。
【００１７】
また本発明によれば、前記幹体に前記基部を下方から支持するスリーブが装着されることによって、幹体に枝体をスリーブの長さに応じた鉛直方向の間隔で多段に設けることができ、これによって飛来する鳥類による営巣を、より確実に防止することができる。またスリーブと枝状体とは別体であるので、スリーブと枝状体とが一体である場合に比べて、嵩張りがなく、収納性がよく、箱詰めする場合においても、一箱あたりの入り数が多いため、倉庫での保管場所が少なくて済み、保管性および運搬性が良好であるという利点を有する。
【図面の簡単な説明】
【００１８】
【図１】本発明の一実施形態の営巣防止具１の設置状態を示す側面図である。
【図２】営巣防止具１の設置状態を上方から見た平面図である。
【図３】営巣防止具１が組立てられた状態を示す側面図である。
【図４】営巣防止具１の枝体８を示す平面図である。
【図５】枝体８の側面図である。
【図６】図５の切断面線ＶＩ−ＶＩから見た枝状部７の拡大断面図である。
【図７】図５の切断面線ＶＩＩ−ＶＩＩから見た枝状部７の拡大断面図である。
【図８】図４の切断面線ＶＩＩＩ−ＶＩＩＩから見た枝状部７の断面図である。
【図９】図４の切断面線ＩＸ−ＩＸから見た枝状部７の断面図である。
【図１０】幹体５の拡大側面図である。
【図１１】スリーブ１０の拡大断面図である。
【図１２】枝体８の基部６を図５の上方から見た拡大平面図である。
【図１３】スリーブ１０を図１１の上方から見た拡大平面図である。
【図１４】本発明の他の実施形態の営巣防止具１ａを示す側面図である。
【図１５】本発明の他の実施形態の幹体５ａを示す拡大側面図である。
【発明を実施するための形態】
【００１９】
図１は、本発明の一実施形態の営巣防止具１の設置状態を示す側面図であり、図２は営巣防止具１の設置状態を上方から見た平面図である。本実施形態の営巣防止具１は、電柱２に、該電柱２を挟んで水平かつ平行に固定される２本のアーム３ａ，３ｂと、前記２本のアーム３ａ，３ｂのいずれか一方のアーム３ａに、該一方のアーム３ａが延びる水平な方向Ｘに間隔Ｌ１をあけて固定される複数の碍子４ａと、前記２本のアーム３ａ，３ｂのいずれか他方のアーム３ｂに、該他方のアーム３ｂが延びる方向Ｘに前記一方のアーム３ａに固定される碍子４ａの間隔Ｌ１と同一の間隔をあけ、かつ該他方のアーム３ｂが延びる方向Ｘに垂直な水平方向Ｙに並んで前記他方のアーム３ｂに固定される複数の碍子４ｂとが配置される営巣防止領域Ａを、上方から覆うように、前記２本のアーム３ａ，３ｂのいずれか一方のアーム３ａに設けられる。
【００２０】
図３は、営巣防止具１が組立てられた状態を示す側面図であり、図４は営巣防止具１の枝体８を示す平面図であり、図５は枝体８の側面図である。前記営巣防止具１は、鉛直方向Ｚに延びる棒状の幹体５と、幹体５に着脱可能に装着される基部６および前記基部６から放射状に延びかつ前記基部６から離反するにつれて下方に傾斜する複数の枝状部７を有する枝体８と、前記一方のアーム３ａに設けられ、幹体５を支持する支持手段９とを含む。本実施形態において、前記枝体８は、鉛直方向Ｚに間隔をあけて２つ設けられ、２段構造の営巣防止具１を構成している。
【００２１】
前記支持手段９は、一方のアーム３ａに乗載され、他方のアーム３ｂに向かって各アーム３ａ，３ｂ間の水平方向Ｙの中央部を超える位置まで延びる略Ｌ字状の支持部材９ａと、支持部材９ａに一端部が係止され、他端部には外ねじが刻設される略Ｌ字状のボルト９ｂと、ボルト９ｂの他端部に螺着されるナット９ｃと、ボルト９ｂが挿通され、一方のアーム３ａに下方から当接させて押圧する押え部材９ｄとを有する。
【００２２】
支持部材９ａの先端部には、幹体５の下端部が挿通する挿通孔が形成され、該挿通孔から下方へ突出した部分にロックナット１３を螺着することによって、支持部材９ａに幹体５が鉛直に固定される。前記支持部材９ａ、ボルト９ｂ、ナット９ｃおよび押え部材９ｄは、耐腐食性および強度の高い金属、たとえばステンレス鋼から成る。
【００２３】
前述の図１および図２をも参照して、前記一方のアーム３ａに固定される複数の碍子４ａのうち、互いに隣接して配置される２つの碍子４ａ１，４ａ２の鉛直方向Ｚに延びる各中心軸線ｍ１，ｍ２と、前記他方のアーム３ｂに固定される複数の碍子４ｂのうち、互いに隣接して配置される２つの碍子４ｂ１，４ｂ２の鉛直方向Ｚに延びる各中心軸線ｍ３，ｍ４とが、水平面Ｆに交差する４つの交点ｎ１〜ｎ４を頂点とする長方形Ｂを想定したとき、該長方形Ｂの図心Ｇを通る鉛直軸線ｍ０と、前記基部６の軸線ｍ５とが一致するように、枝体８が支持される。
【００２４】
前記枝状部７は、その先端の前記水平面Ｆへの投影点が前記長方形Ｂの各辺の近傍で、かつ前記２本のアーム３ａ，３ｂが延びる方向Ｘに隣接して配置される各碍子４ａ１，４ａ２；４ｂ１，４ｂ２の前記水平面Ｆへの投影領域よりも前記水平方向Ｘに関して内側で各碍子４ａ１，４ａ２；４ｂ１，４ｂ２に平面視で内接する四角形Ｃに位置するように形成されている。
【００２５】
図６は、図５の切断面線ＶＩ−ＶＩから見た枝状部７の拡大断面図であり、図７は図５の切断面線ＶＩＩ−ＶＩＩから見た枝状部７の拡大断面図であり、図８は図４の切断面線ＶＩＩＩ−ＶＩＩＩから見た枝状部７の断面図であり、図９は図４の切断面線ＩＸ−ＩＸから見た枝状部７の断面図である。
【００２６】
前記枝状部７は、その長手方向に延びる軸線に垂直な断面が逆Ｕ字状の本体部分７ａと、本体部分７ａの前記軸線に沿って間隔をあけて該本体部分７ａに一体的に形成される複数のリブ７ｂとを有する。本体部分７ａは、基部６から離反するにつれて先細状に形成され、自重による垂れ下がりが防止されている。このような枝状部７は、前記基部６とともに、耐候性を有する合成樹脂、たとえばポリエチレンを一体成型することによって実現される。
【００２７】
図１０は、幹体５の拡大側面図である。前記幹体５は、軸直角断面が十字状の先端部５１と、先端部５１に同軸に連なる棒状部５ｂとを有する。棒状部５ｂは、円柱体の外周部に軸線方向に間隔をあけて該軸線に関して軸対称に対をなす複数対の凹溝５ｃが形成される。前記幹体５は、耐候性を有する合成樹脂、たとえばポリエチレンを一体成型することによって実現される。このような幹体５には、前記基部６を下方から支持するスリーブ１０をさらに含む。
【００２８】
図１１は、スリーブ１０の拡大断面図である。スリーブ１０は、前記幹体５を挿通可能な中空の円筒体から成り、耐候性を有する合成樹脂、たとえばポリエチレンなどの熱可塑性合成樹脂を一体成型することによって実現される。スリーブ１０の軸線方向両端部には、後述の第２噛合部２６が形成される。
【００２９】
図１２は、枝体８の基部６を図５の上方から見た拡大平面図であり、図１３はスリーブ１０を図１１の上方から見た拡大平面図である。前記基部６の軸線方向両端部の端面部には、周方向に交互に形成される各複数の凹部２１と凸部２２とによって構成される第１噛合部２３が設けられる。また前記スリーブ１０の軸線方向両端部の端面部には、周方向に交互形成される各複数の凹部２４と凸部２５とによって構成される第２噛合部２６が設けられる。
【００３０】
第１噛合部２３と第２噛合部２６とは、同一軸線上に配置された状態において、第１噛合部２３の各凹部２１に第２噛合部２６の各凸部２５が嵌合し、かつ第１噛合部２３の各凸部２２が第２噛合部２６の各凹部２４に嵌合するように、１ピッチ分だけ位相が異なって各凹部２１，２４および各凸部２２，２５が形成され、基部６の一方の第１噛合部２３にスリーブ１０の一方の第２噛合部２６が噛合して希望する角度位置、たとえば上段の枝状部７と下段の枝状部７とが同位相で、あるいは１／２位相ずらせた位置で回り止めされるように構成されている。
【００３１】
このような本実施形態によれば、前記支持手段９は、一方のアーム３ａに固定される複数の碍子４ａのうち、互いに隣接して配置される２つの碍子４ａ１，４ａ２の鉛直方向に延びる各中心軸線ｍ１，ｍ２と、前記他方のアーム３ｂに固定される複数の碍子４ｂのうち、互いに隣接して配置される２つの碍子４ｂ１，４ｂ２の鉛直方向に延びる各中心軸線ｍ３，ｍ４とが、水平面Ｆに交差する４つの交点ｎ１〜ｎ４を頂点とする長方形Ｂの図心Ｇを通る鉛直軸線ｍ０と、基部６の軸線ｍ５とが一致するように、枝体８が支持される。
【００３２】
前記枝状部７は、その先端の水平面Ｆへの投影点が前記長方形Ｂの各辺の近傍で、かつ前記２本のアーム３ａ，３ｂが延びる方向Ｘに隣接して配置される各碍子４ａ１，４ａ２；４ｂ１，４ｂ２の前記水平面Ｆへの投影領域よりも前記水平方向Ｆに関して内側に位置するように形成される。
【００３３】
このように営巣防止具１が構成されることによって、各枝状部７の先端が碍子４ａ１，４ａ２；４ｂ１，４ｂ２に接触することなく、前記従来技術のようにスパイラル状ではなく、複数の枝状部７が４つの碍子４ａ１，４ａ２；４ｂ１，４ｂ２よりも内側の領域を覆うように放射状に配置され、鳥類の大きさに拘らず営巣を確実に防止することができる。
【００３４】
また、前記枝体８が鉛直方向Ｚに間隔をあけて複数設けられるので、枝体８の配置密度を高くして、飛来する鳥類による営巣を、より確実に防止することができる。しかも、枝状部７は、その先端が各碍子４ａ１，４ａ２；４ｂ１，４ｂ２の前記水平面Ｆへの投影領域の内側に位置するように形成されるので、電気絶縁性を確保するために枝状部７を碍子４ａ１，４ａ２；４ｂ１，４ｂ２や電線に接触しない長さに切断する必要がなく、現場での営巣防止具１の取付け作業性を向上することができる。
また、スリーブ１０と枝状体７とは別体であるので、スリーブ１０と枝状体７とが一体に形成される場合に比べて、嵩張りがなく、収納性がよく、箱詰めする場合においても、一箱あたりの入り数が多いため、倉庫での保管場所が少なくて済み、保管性および運搬性が良好であるという利点を有する。
【００３５】
図１４は、本発明の他の実施形態の営巣防止具１ａを示す側面図であり、図１５は本発明の他の実施形態の幹体５ａを示す拡大側面図である。なお、前述の実施形態と対応する部分には同一の参照符を付し、重複する説明は省略する。本実施形態において、前述の図１０に示す幹体５よりも長い幹体５ａが用いられ、前記枝体８は、鉛直方向Ｚにスリーブ１０によって互いに間隔をあけて３つ設けられ、３段構造の営巣防止具１ａを構成している。
【００３６】
このような本実施形態においてもまた、各枝状部７の先端が碍子４ａ１，４ａ２；４ｂ１，４ｂ２に接触することなく、また前記従来技術のようにスパイラル状ではなく、複数の枝状部７が４つの碍子４ａ１，４ａ２；４ｂ１，４ｂ２よりも内側の領域Ｃを覆うように放射状に配置され、鳥類の大きさに拘らず営巣を確実に防止することができるとともに、枝体８が鉛直方向Ｚに間隔をあけて複数設けられることによって、枝体８の配置密度を高くして、飛来する鳥類による営巣を、より確実に防止することができる。
【００３７】
しかも前記幹体５ａに前記基部６を下方から支持するスリーブ１０が装着されることによって、幹体５ａに枝体をスリーブ１０の長さに応じた鉛直方向の間隔で多段に設けることができ、これによって高さ方向に広域を鳥類が近付けない領域とし、飛来する鳥類による営巣を、より確実に防止することができる。
【００３８】
また幹体５ａに先端部５１から枝体８を２層に積重したときの長さ位置に切込み５２が形成される。このような幹体５ａによって、２つの枝体８を積重する３層構造を構築する場合には、前記切込み５２に沿って切断工具で切断することによって、３段目に相当する枝体部分５ｄを撤去することができる。したがって幹体５ａは、２つの枝体８を積重する２段構造を構築する場合と、３つの枝体８を積重する３段構造を構築する場合との両者のいずれにも適用して、少ない部品点数で２段構造と３段構造とのいずれにも共通に用いることができる。
【符号の説明】
【００３９】
１  営巣防止具
２  電柱
３ａ，３ｂ  アーム
４ａ，４ｂ  碍子
Ａ  営巣防止領域
５  幹体
６  基部
７  枝状部
８  枝体
９  支持手段
１０  スリーブ
２１，２４  凹部
２２，２５  凸部
２３  第１噛合部
２６  第２噛合部
【図１】
2014117269.tif 000003
【図２】
2014117269.tif 000004
【図３】
2014117269.tif 000005
【図４】
2014117269.tif 000006
【図５】
2014117269.tif 000007
【図６】
2014117269.tif 000008
【図７】
2014117269.tif 000009
【図８】
2014117269.tif 000010
【図９】
2014117269.tif 000011
【図１０】
2014117269.tif 000012
【図１１】
2014117269.tif 000013
【図１２】
2014117269.tif 000014
【図１３】
2014117269.tif 000015
【図１４】
2014117269.tif 000016
【図１５】
2014117269.tif 000017